(57)【要約】【課題】本発明はガス、石油等を燃料とするコンロに関するもので、高い熱効率、幅広い火力可変範囲を有し、かつ手入れ性の良好なコンロを実現することを課題とする。【解決手段】中央に向う炎口を列設したバーナ６の下方の空気通路１４を介して汁受皿１８をバーナ６の下方に配設し、汁受皿１８の中央部に上方に突出する凸部２０を設けたことで、バーナ６の下部の二次空気流２４を凸部２０に衝突させて、必要最小限の二次空気量で燃焼促進できるため、バーナと鍋との距離を接近させて高い熱効率を確保でき、凸部２０を持ち手として容易に汁受皿１８を取り出せ、さらに汁受皿１８の洗浄が容易なコンロを提供できる。【選択図】  図１
2004271111.tif 000002
【特許請求の範囲】
【請求項１】
天板の開口部内に、中央に向い開口する複数の炎口を列設したバーナと、その上方に空隙を介して設けた二次空気整流体と、バーナの下方から空気を流通させる空気通路と、バーナの内側空間を通過可能に構成した汁受皿とを備え、空気通路を介してバーナの下方に汁受皿を配設し、汁受皿の中央部近傍に、汁受皿の周縁部よりも上方に突出する凸部を設けたコンロ。
【請求項２】
凸部は、汁受皿の中央部近傍が周縁部よりも上方に突出し、かつ縦断面が略円錐台状または下向き略Ｕ字状となるように、汁受皿を一体成型した請求項１に記載のコンロ。
【請求項３】
凸部は、上方に突出する突起物を汁受皿の中央部近傍に装着して構成した請求項１に記載のコンロ。
【請求項４】
凸部の上端部をバーナの下側の空気通路よりも上方に位置させた請求項１に記載のコンロ。
【請求項５】
凸部の上端部に棒状体を嵌合させ、棒状体の上端部を天板の上面近傍の高さに設けた請求項１から４のいずれか１項に記載のコンロ。
【請求項６】
バーナは、その内周側に上部を斜め上向きに傾斜させた燃焼面を構成し、燃焼面に上下方向に縦長に開口するスリット状炎口を列設した請求項１に記載のコンロ。
【請求項７】
二次空気整流体は、その内周側に上方に屈曲させた上方屈曲部と、外周側に下方に屈曲させた下方屈曲部を構成し、空隙を介してバーナの上面部を被覆した請求項１に記載のコンロ。
【発明の詳細な説明】
【０００１】
【発明の属する技術分野】
本発明は、ガス、石油等を燃料とするバーナを加熱源としたコンロに関するものである。
【０００２】
【従来の技術】
従来この種のコンロは、特許文献１に示すようなものがある。これは、図４に示されているように、内側に向く多数の炎口５１を内面の周方向に列設した環状バーナ５２の上方に、環状バーナ５２に対応する開口部５３を設けた天板５４を配置し、煮零れが環状バーナ５２にかからない様にするため、環状バーナ５２を被覆する程度の開口径を有する五徳枠５５を空隙５６を介して載置することにより二次空気通路５７を設け、また環状バーナ５２の下方に二次空気導入路５８を設け、さらに環状バーナ５２の直下に汁受皿５９を設置したものであり、汁受皿５９の周側面の複数箇所には、煮こぼれ汁が外部に漏出しないようにギャラリなどで構成した開口部６０を設けて環状バーナ５２の下方からも二次空気を導入し、環状バーナ５２の炎口５１から内向きに火炎を形成させて鍋を加熱するようになっていた。
【０００３】
【特許文献１】
特開平８−２１０６４５号公報（０００５−０００９、第１図）
【０００４】
【発明が解決しようとする課題】
しかしながら上記従来のコンロの場合、環状バーナ５２からの火炎は、中央に集中したのち上昇するが、火炎が中央に集中する際に火炎同士の衝突干渉により、火炎が下方に膨張する現象が発生する。この状態を緩和するために、燃焼を促進してＣＯの増加を抑えるためには、環状バーナ５２の周囲、特に上下から比較的多量の二次空気を供給する必要があった。そのため、環状バーナ５２の上方の二次空気通路５７以外に、環状バーナ５２の下方に二次空気導入路５８、さらには、汁受皿５９の周側面に複数箇所のギャラリ形状の開口部６０を設けることによって、完全燃焼に必要な二次空気を確保していた。したがって、完全燃焼のための燃焼空間すなわちバーナと鍋との距離を大きくとる必要があり、結果として高い熱効率を確保できないという課題があった。また、鍋からの多量の煮こぼれ汁が汁受皿５９に落下した場合、ギャラリ形状の開口部６０から煮こぼれ汁がコンロ本体内に漏出することもあった。この時、汁受皿５９を取り出す場合は、内部に深く手を入れて取り出す必要があり、さらに汁受皿５９を洗浄する際には、ギャラリ形状の開口部６０にスポンジタワシなどが引っかかって汚れを落としにくいだけでなく、スポンジタワシ自体の破損を早めるといった手入れ性に関する課題もあった。
【０００５】
本発明は、上記従来の課題を解決するもので、火炎への二次空気の拡散を効率よく行って、必要最小限の二次空気量で燃焼を促進して火炎長を短くし、バーナと鍋などの被加熱物との距離を接近させて高い熱効率を確保しながら良好な調理性能を確保し、同時に、汁受皿の取り出しとその洗浄性を良好にして、手入れ性をも向上したコンロを提供することを目的とする。
【０００６】
【課題を解決するための手段】
本発明は上記の目的を達成するために、天板の開口部内に、中央に向い開口する複数の炎口を列設したバーナと、その上方に空隙を介して設けた二次空気整流体と、バーナの下方から空気を流通させる空気通路と、バーナの内側空間を通過可能に構成した汁受皿とを備え、空気通路を介してバーナの下方に汁受皿を配設し、汁受皿の中央部近傍に、汁受皿の周縁部よりも上方に突出する凸部を設けたものである。
【０００７】
上記の発明によれば、バーナへの二次空気はバーナの上下から上部の二次空気、下部の二次空気として供給するが、汁受皿の中央部近傍に、汁受皿の周縁部よりも上方に突出する凸部を設けたことにより、バーナの下方の空気通路から流入する下部の二次空気は、凸部に衝突したのち、凸部の形状に沿って上方に流れながら火炎中に拡散する。したがって、下部の二次空気は必然的に無駄なく火炎中に拡散するため燃焼が促進されて火炎長が短縮され、火炎中央部近傍が下方に膨らむ現象を抑制することができる。このようにして、バーナの下方からの二次空気を火炎中に効率よく拡散させることができるため、完全燃焼に必要な二次空気量を必要最小限に抑えることができ、結果としてバーナと鍋との距離を接近させることができ、高い熱効率を確保することができる。また、汁受皿の手入れのため汁受皿を取り出す際には、汁受皿の中央部の凸部が持ち手の役割を果たし、深くまで手を入れる必要なく汁受皿を取り出せ、さらに汁受皿自体の凹凸が少ないため洗浄が容易となる。
【０００８】
このように、高効率かつ手入れ性の良好なコンロを実現することができる。
【０００９】
【発明の実施の形態】
請求項１に記載の発明は、天板の開口部内に、中央に向い開口する複数の炎口を列設したバーナと、その上方に空隙を介して設けた二次空気整流体と、バーナの下方から空気を流通させる空気通路と、バーナの内側空間を通過可能に構成した汁受皿とを備え、空気通路を介してバーナの下方に汁受皿を配設し、汁受皿の中央部近傍に、汁受皿の周縁部よりも上方に突出する凸部を設けたことにより、バーナの上部の二次空気は、二次空気整流体の形状に沿ってバーナの上方を流れて火炎中に拡散し、バーナの下部の二次空気は、汁受皿の中央部近傍に周縁部よりも上方に突出する凸部を設けたことにより、凸部に衝突したのち、凸部の形状に沿って上方に流れながら火炎中に拡散する。したがって、下部の二次空気は必然的に無駄なく火炎中に拡散するため燃焼が促進されて火炎長が短縮され、火炎中央部近傍が下方に膨らむ現象を抑制することができる。このようにして、バーナの下方からの二次空気を火炎中に効率よく拡散させることができるため、完全燃焼に必要な二次空気量を必要最小限に抑えることができ、結果としてバーナと鍋との距離を接近させることかでき、高い熱効率を確保することができる。また、汁受皿の手入れのため汁受皿を取り出す際には、汁受皿の中央部の凸部が持ち手の役割を果たし、深くまで手を入れる必要なく汁受皿を取り出せ、さらに汁受皿自体の凹凸が少ないため洗浄が容易となる。したがって、高効率かつ手入れ性の良好なコンロを実現することができる。
【００１０】
請求項２に記載の発明は、凸部を、汁受皿の中央部近傍が周縁部よりも上方に突出し、かつ縦断面が略円錐台状または下向き略Ｕ字状となるように、汁受皿を一体成型して構成したことにより、たとえば凸部を一体プレス加工などの加工法によって構成することにより、凸部と汁受皿の境界部分に滑らかな傾斜を容易に形成することができるため、バーナの下方の空気通路からの下部の二次空気を凸部近傍でスムーズに上昇させて火炎中に拡散させることができる。したがって、燃焼を促進して高い熱効率を確保できるだけでなく、汁受皿の洗浄の際にスポンジタワシなどの摺動が抵抗なく行え、汚れ落としが容易であるだけでなくスポンジタワシの破損を防止することができる。
【００１１】
請求項３に記載の発明は、凸部を、上方に突出する突起物を汁受皿の中央部近傍に装着して構成したことにより、凸部を汁受皿を一体プレス成型などで構成した場合にくらべ、比較的細いものにできるため、同様に下部の二次空気を効率よく火炎中に拡散させることができると同時に、汁受皿の深さを深くすることなくその受水量を多く確保することができるため、煮こぼれの際に煮汁がコンロ本体内に溢れる事態を少なくできる。
【００１２】
請求項４に記載の発明は、凸部の上端部をバーナの下側の空気通路よりも上方に位置させたことにより、バーナの下部の二次空気の流れを確実に凸部に衝突させて上昇させることができるため、下部の二次空気をさらに効率よく火炎中に拡散させることができる。
【００１３】
請求項５に記載の発明は、凸部の上端部に棒状体を嵌合させ、棒状体の上端部を天板の上面近傍の高さに設けたことにより、棒状体は火炎から離れた状態となるため高温化させることが少なく、ある程度温度上昇しても消火後の温度低下が速く、短時間で手に持つことができる。したがって、比較的高温の構成体が存在する天板の開口部内に手を差し入れなくても、汁受皿を容易に取出すことができるため安全である。
【００１４】
請求項６に記載の発明は、バーナは、その内周側に上部を斜め上向きに傾斜させた燃焼面を構成し、燃焼面に上下方向に縦長に開口するスリット状炎口を列設したことにより、各スリット状炎口の間を上下の二次空気、特に下部の二次空気が上昇気流として拡散しやすくなり、そのため燃焼が促進されて火炎長が短縮される。また、火炎は斜め上向き方向かつ中央に向かって噴出するため、対向する火炎同士の不必要な干渉を抑制することができ、燃焼面の温度上昇も抑制できる。
【００１５】
請求項７に記載の発明は、二次空気整流体は、その内周側に上方に屈曲させた上方屈曲部と、外周側に下方に屈曲させた下方屈曲部を構成し、空隙を介してバーナの上面部を被覆したことにより、二次空気整流体の外周側の下方屈曲部と内周側の上方屈曲部との間に高低差が生じるため、火炎の上昇気流による負圧発生で空気の流通が発生し、二次空気整流体とバーナとの空隙内に二次空気流が発生し、大火力では火炎長をより短縮して火炎をより中央に寄せることができ、低火力では二次空気整流体とバーナの間に火炎が逆流することを防止できる。
【００１６】
【実施例】
以下、本発明の実施例について図面を用いて説明する。
【００１７】
（実施例１）
本発明の実施例１について図１を参照して説明する。図１は、本実施例のコンロの部分縦断面図である。
【００１８】
図において、天板１の開口部２の周囲に、複数の五徳爪３を嵌合した五徳枠４を設置し、開口部２の下方には、一端に燃料予混合ガスを導入する混合管５を設けた環状のバーナ６を設置している。バーナ６の内周側の上部を約６０°程度上向きに傾斜させた燃焼面７には、スリット幅約０．５５〜０．６５ｍｍで上下方向に縦長に開口するスリット状炎口８を設け、バーナ６の上方には、空隙９を介して二次空気整流体１０を設け、二次空気整流体１０の外周側には下方屈曲部１１を構成し、内周側には断面形状を約４５°程度上方に屈曲させた上方屈曲部１２を設け、上方屈曲部１２の上端部は五徳枠４の内周部より少し大きな開口径で構成し、五徳枠４の内周部に勘合している。なお、上方屈曲部１２は、断面形状をＲ形状として上方に屈曲させても、また二次空気整流体１０の外周側から内周側に至って徐々に空隙９を拡大させる構成であっても差し支えない。また、バーナ６の下方には、バーナ６を載置するバーナ台１３が外気と連通する空気通路１４を介して設けられている。
【００１９】
バーナ６のスリット状炎口８は、複数の長スリット１５からなる長スリット炎口群１６の間に短スリット炎口１７を交互に配置した構成である。また、バーナ６はＳＵＳ３０４、ＳＵＳ３１６、ＳＵＳ３２１等のオーステナイト系ステンレス、またはＳＵＳ４３０、ＳＵＳ４３６等のフェライト系ステンレスといった耐熱耐食性に優れた板金材料を用いている。
【００２０】
一方、バーナ台１３の中央部は開口形状となっており、この開口部の周端部に汁受皿１８の周縁部１９が載置されている。汁受皿１８は、バーナ６の内径、二次空気整流体１０の内周部の直径、および五徳枠４の内周部の直径のうち、これらの最小寸法よりも小さい外径で構成されており、バーナ６の内側空間を通過させて天板１の外部へ取出し可能としている。また、汁受皿１８の中央部近傍には、周縁部１９よりも上方に突出し、かつ縦断面が略円錐台状または下向き略Ｕ字状となるように、一体プレス加工で構成した凸部２０が構成されている。さらに、凸部２０の上端部２１は、空気通路１４の位置よりも上方にくるようにその突出高さを設定してある。
【００２１】
次に動作、作用について説明すると、混合管５を通じて、燃料予混合ガスがバーナ６内に導入されるが、スリット状炎口８はスリット幅０．５５〜０．６５ｍｍ程度の細スリットで構成しているので、高一次空気比でも逆火しにくくなっている。ちなみに、バーナ６は耐熱耐食性に優れたステンレス板などで構成することにより、スリット状炎口８の幅を、通常は板厚の０．８〜１．２倍の範囲でプレス加工が可能であり、炎口形状の選択の自由度を拡大させることができる。このため、水素と空気の混合物などのように燃焼速度の速い燃料の場合でも、バーナ６の板厚とスリット状炎口８の幅を最適化することが容易である。したがって、比較的一次空気比の高い約６０〜７０％の燃料予混合ガスを導入でき、バーナ６のスリット状炎口８で中央に向かって形成される斜め上向きの火炎２２は、比較的短炎化されて対向する火炎２２同士の干渉が少く、燃焼面７の上方への放熱も良好になって燃焼面７の温度上昇を抑制することができる。この時、二次空気整流体１０の外周側の下方屈曲部１１と内周側の上方屈曲部１２との間に高低差が生じるため、火炎２２の上昇気流による負圧の発生で、空隙９内に火炎２２に向かう上部の二次空気流２３が発生し、火炎２２の燃焼を促進しながら、火炎２２をより中央に寄せることができる。一方、火炎２２の上昇気流によって生じた負圧によって、空気通路１４から下部の二次空気流２４が発生して火炎２２内に拡散する。この時、汁受皿１８の中央部に一体で構成された凸部２０の上端部２１は、空気通路１４の位置よりも上方にくるようにその突出高さを設定しているため、下部の二次空気流２４は必ず凸部２０に衝突しながら上昇するので無駄なく確実に火炎２２中に拡散し、燃焼を促進して火炎２２を短炎化しながら、凸部２０の上端部２１近傍で火炎２２を上方に向けることができる。したがって、下部の二次空気流２４を少なくでき、燃焼空気が過剰になることを防止することができる。このようにして、火炎２２に上部の二次空気流２３と下部の二次空気流２４が効果的に拡散することによって燃焼が促進される。
【００２２】
また、炎口を上下方向に縦長のスリット状炎口８で構成したことにより、隣り合う縦長のスリットの間に空気通路１４からの下部の二次空気流２４を効果的に流入させることができる。さらに、隣合う長スリット炎口群１６の間に短スリット炎口１７を配置した構成により、大火力の場合は、短スリット炎口１７が長スリット炎口群１６で形成される火炎２２同士の干渉を抑制して火炎２２を分割して短炎化を実現するとともに、長スリット炎口群１６の間の火移りを良好にできる。一方、小火力の場合は、スリット状炎口８からの噴出速度が低下して火炎２２が燃焼面７の近傍で上方を向きやすくなるが、二次空気整流体１０の内周側を上方屈曲部１２としたことにより、二次空気整流体１０の内側ではバーナ６との空隙９が拡大するため二次空気整流体１０が高温化することがなく、さらに外周側の下方屈曲部１１の存在によって、火炎２２からの燃焼ガスがバーナ６と二次空気整流体１０の間を外周側に逆流することを防止できる。以上のように大火力においては、比較的少ない二次空気量で火炎２２が対向することによる干渉で生じる下方への火炎膨張を防止して高い火炎温度を保持することができ、小火力においては、燃焼ガスがコンロ本体内に逆流することを防止できるため、幅広い燃焼量可変範囲を有し、かつバーナ６と鍋との距離を接近させてもＣＯの排出が少くでき、高い熱効率を実現するコンロを提供することができる。
【００２３】
さらに、凸部２０は汁受皿１８の中央部を一体プレス成型によって、縦断面が略円錐台状または下向き略Ｕ字状となるように構成しているため、汁受皿１８の取出しの際に、凸部２０の上端部２１が持ち手となるので取出し易いだけでなく、凸部２０と汁受皿１８の境界部分に滑らかな傾斜やＲ形状を容易に形成することができるため、バーナ６の下方の空気通路１４からの下部の二次空気流２４を凸部２０近傍でスムーズに上昇させて火炎２２中に拡散させることができる。また、汁受皿１８の洗浄の際には、スポンジタワシなどの摺動が抵抗なく行え、汚れ落としが容易であるだけでなくスポンジタワシの破損を防止することができる。
【００２４】
（実施例２）
本発明の実施例２について、図２を参照して説明する。図２は、本実施例のコンロの部分縦断面図である。
【００２５】
図において、実施例１と異なる点は、汁受皿３１の中央部近傍に、縦断面が細い略円錐台形状で上方に突出する突起物３２を、汁受皿３１の中央部近傍に溶接することによって凸部３３を構成し、突起物３２の上端部３４を空気通路１４よりも上方に設けたところである。
【００２６】
なお実施例１と同一符号のものは同一構造を有し、説明は省略する。
【００２７】
次に動作、作用について説明すると、実施例１と同様に、凸部３３に下部の二次空気流２４が衝突して上昇することにより、下部の二次空気流２４が効果的に火炎２２中に拡散するため、比較的少ない二次空気量で燃焼を促進し、火炎２２が下方に膨らむことを防止して高い熱効率を保持することができる。また、凸部３３を突起物３２による別部品としたことにより、凸部３３を比較的細いものに構成できるため、汁受皿３１の取出しの際に持ち手となるだけでなく、汁受皿３１の深さを深くすることなくその受水量を多く確保できるため、煮こぼれの際に煮汁がコンロ本体内に溢れる事態を少なくできる。
【００２８】
（実施例３）
本発明の実施例３について、図３を参照して説明する。図３は本実施例のコンロの部分縦断面図である。
【００２９】
図において、実施例１と異なる点は、汁受皿４１の中央部近傍が、バ−ナ６の下方の空気通路１４よりわずかに上方にくるように、一体プレス成型で凸部４２を構成し、凸部４２の上端部４３に線材で構成した棒状体４４を上方向きに嵌合し、棒状体４４の上端部を天板１の上面近傍に設けたところである。
【００３０】
なお、実施例１と同一符号のものは同一構造を有し、説明は省略する。
【００３１】
次に動作、作用について説明すると、棒状体４４は線材で構成されているので、バーナ６からの火炎２２は棒状体４４から遠くなり、棒状体４４を高温化させることが少なく、ある程度温度上昇しても消火後の温度低下が速く、短時間で手に持つことができる。また、汁受皿４１を取出す際には、棒状体４４の上端部が天板１の上面近傍の高さにあるため、手を天板１の開口部２内に差し入れる必要がなく容易に取出せる。したがって、汁受皿４１や棒状体４４以外の天板１内の構成体が高温状態であっても、高温部に手が触れることなく安全に汁受皿４１を取出すことができる。
【００３２】
【発明の効果】
以上のように、本発明によれば、中央に向い開口する炎口を列設したバーナの下方の空気通路を介して汁受皿をバーナの下方に配設し、汁受皿の中央部に上方に突出する凸部を設けたことにより、バーナの下方からの二次空気流を凸部に衝突させて火炎中に効率よく拡散させて、必要最小限の二次空気量で燃焼を促進できるため、バーナと鍋との距離を接近させて高い熱効率を確保することができるだけでなく、汁受皿を取り出す際には、凸部が持ち手の役割を果たして容易に汁受皿を取り出せ、さらに汁受皿自体の洗浄が容易となるコンロを提供できる。
【図面の簡単な説明】
【図１】本発明の実施例１のコンロの部分縦断面図
【図２】本発明の実施例２のコンロの部分縦断面図
【図３】本発明の実施例３のコンロの部分たて断面図
【図４】従来のコンロの部分縦断面図
【符号の説明】
１  天板
２  開口部
６  バーナ
７  燃焼面
８  スリット状炎口
９  空隙
１０  二次空気整流体
１１  下方屈曲部
１２  上方屈曲部
１４  空気通路
１８、３１、４１  汁受皿
１９  周縁部
２０、３３、４２  凸部
２１、３４、４３  上端部
３２  突起物
４４  棒状体
【図１】
2004271111.tif 000003
【図２】
2004271111.tif 000004
【図３】
2004271111.tif 000005
【図４】
2004271111.tif 000006